(57)【要約】【課題】設定により異なる記録紙サイズを供給可能な給紙カセット装置において、ユーザがケーシング内の空きスペースに予備用紙を入れてしまう不具合を防止する。【解決手段】プリンタ用の給紙カセット装置であって、底板４は、引出しケース２に収容可能な最大サイズの記録紙を全面的に載置可能とする大きさを有し、底板４を繰出しローラ５側へ押圧する付勢力が記録紙サイズに応じて切換え可能となるように構成されると共に、エンドガイド９と引出しケース２の後端側内壁２ｂとを連結する棒状部材１２を備え、邪魔部材は、底板４の上方に位置し、エンドガイド９の移動方向でエンドガイド９の移動に連動して伸縮するように構成される。【選択図】図２
2006001681.tif 000002
【特許請求の範囲】
【請求項１】
記録紙が収容されるケーシングと、
記録紙が載置されると共に前記ケーシングに上下回動自在に支持される底板と、
底板上の記録紙と接触してその一枚を分離して給送する分離給送手段と、
底板を分離給送手段側へ押圧する付勢手段と、
前記ケーシングに移動自在かつロック自在に支持されて前記底板上で記録紙を位置決めする位置決めガイドと、
を備えるプリンタ用の給紙カセット装置であって、
前記底板は、前記ケーシング内に収容可能な最大サイズの記録紙を全面的に載置可能とする大きさを有し、
前記付勢手段は、その付勢力が記録紙サイズに応じて切換え可能となるように構成されると共に、
前記位置決めガイドと反分離給送手段側の前記ケーシング内壁とを連結する邪魔部材を備え、
前記邪魔部材は、前記底板の上方に位置し、前記位置決めガイドの移動方向で該位置決めガイドの移動に連動して伸縮するように構成される、
ことを特徴とする給紙カセット装置。
【請求項２】
前記邪魔部材は、前記位置決めガイドと、反分離給送手段側の前記ケーシング内壁とに、それぞれ回転自在に設けられる棒状部材とし、
該棒状部材と前記位置決めガイドまたは前記ケーシング内壁とを連結部は、該棒状部材に対して移動自在に支持される、
ことを特徴とする請求項１に記載の給紙カセット装置。
【請求項３】
前記邪魔部材が連結される前記位置決めガイドは、前記ケーシング内の長手方向で移動自在に設けられる位置決めガイドとする、
ことを特徴とする請求項１または請求項２に記載の給紙カセット装置。
【発明の詳細な説明】
【技術分野】
【０００１】
本発明は、給紙カセット装置の技術に関する。
【背景技術】
【０００２】
従来より、複写機、コピー機等に備えられるプリンタには、記録紙の供給源としての給紙カセットが備えられているが、この給紙カセットは、調整により収容する記録紙のサイズを変更することが可能である。
このような給紙カセットにおいて、その内部に収容してプリンタ本体へ向けて給送可能な記録紙の最大サイズは、例えば定型Ａ３サイズである。そして、定型Ａ３サイズに対応する給紙カセットであれば、これより小さな定型Ａ４サイズ、定型Ｂ５サイズ等の記録紙にも対応している。
【０００３】
このような給紙カセットには、記録紙が載置される底板（フラッパー）が回動自在（揺動自在）に設けられると共に、用紙サイズに応じて記録紙の位置決めを行う位置決めガイドが設けられている。
底板上の記録紙は、底板に対する位置ズレを防止する観点からは、できるだけ緩い傾斜角度で底板上に載置されることが望ましい。したがって、底板の大きさは、その給紙カセットで対応可能な最大サイズ（例えば定型Ａ３サイズ）の記録紙の全体を載置可能な大きさに設定されている。
そして、異なるサイズの記録紙を底板上に位置固定するために、前記ケーシング内には、位置決め用のガイドが設けられている。このガイドは、底板（ケーシング）の長手方向と短手方向との両方で、底板上の記録紙を位置決め可能とするために、複数設けられている。また、ケーシングの内壁も底板上の記録紙の位置決めに利用される。
長手方向の位置決めガイドは異なる用紙サイズに対応すべく、長手方向で移動可能かつロック可能に前記ケーシングに設けられており、短手方向の位置決めガイドは異なる用紙サイズに対応すべく、短手方向で移動可能かつロック可能に前記ケーシングに設けられている。
そして、長手方向の位置決めガイドと短手方向の位置決めガイドとを、使用する記録紙のサイズに応じて適宜移動させることで、同じ給紙カセットを、定型Ａ３サイズ用の給紙カセットとして使用することも、定型Ａ４サイズ用の給紙かセットして使用することも可能となる。Ａ４縦とＡ４横のように、記録紙の繰出し方向に対して、記録紙の長手方向の向きを変更することも可能である。
【０００４】
また、収容される記録紙のサイズにより、底板上に載置される記録紙積層体の重量が変化するため、これに対応して、底板を分離給送手段側へ押圧する付勢力の大きさを調整する必要がある。
これは、分離給送手段を構成するローラへの記録紙の接触圧を、記録紙積層体の全重量に拠らずできるだけ一定に保つことで、分離給送手段による記録紙の分離給送が適切に行われるようにするためである。
この調整は、例えばサービスマン等に行われるものであり、ユーザ自身が容易に行えるものではない。
【０００５】
このような給紙カセットに関する技術として、特許文献１に開示される技術がある。この技術は、給紙カセットにおいて、ケーシング内部のスペースが無駄となる不具合を、防止するものである。
例えば、定型Ａ３サイズまでの記録紙を積載可能な給紙カセットに、定型Ａ４サイズ以下の記録紙が積載されて使用される場合は、ケーシング内部の半分以上のスペースが無駄となるが、特許文献１に開示される技術は、このような不具合を防止するものである。
【特許文献１】特開２００３−２６７５６５号公報
【発明の開示】
【発明が解決しようとする課題】
【０００６】
定型Ａ３サイズのような比較的大きなサイズの記録紙を使用可能とする給紙カセットでは、規定の最大サイズよりも小さなサイズの記録紙を収容する場合、ユーザの視点からして、ケーシング内部のスペースが無駄になっていると思われる場合がある。
特許文献１に開示される技術は、この不具合を改善するものであるが、装置構成が複雑であり、給紙カセットの製造コストの高騰を招く不具合がある。
【０００７】
例えば、定型Ａ３サイズが最大サイズの給紙カセットに、定型Ａ４サイズの記録紙を収容する場合、ケーシング内に生じる空きスペースの大きさは、定型Ａ４サイズの記録紙を収容可能な大きさとなる。
このため、ユーザが、ケーシング内の空きスペースの無駄を利用しようとして、予備用紙を入れてしまうことがある。ここで、分離給送手段による記録紙の分離給送を適切とするため、底板を付勢する付勢力は記録紙サイズに応じて設定されているが、予備用紙がケーシング内に入れられると、予定された重量よりも大きな重量が底板に掛かることになる。
定型Ａ４サイズの記録紙を給送する状態の給紙カセットにおいて、その空きスペースに予備用紙が入れられると、実質的に定型Ａ３サイズの記録紙が底板上に載置されたことになる。ここで、底板を上側（分離給送手段側）へ押圧する付勢力は、定型Ａ４サイズに対応するように付勢力が設定された状態にある。そうすると、底板を持ち上げる付勢力が不足して、給紙不良や、斜行、ペーパージャムといったトラブルを誘発する原因となる。
【０００８】
つまり、解決しようとする問題点は、設定により異なる記録紙サイズを供給可能な給紙カセット装置において、ユーザがケーシング内の空きスペースに予備用紙を入れてしまう不具合を防止する点である。
【課題を解決するための手段】
【０００９】
本発明の解決しようとする課題は以上の如くであり、次にこの課題を解決するための手段を説明する。
【００１０】
即ち、請求項１においては、
記録紙が収容されるケーシングと、
記録紙が載置されると共に前記ケーシングに上下回動自在に支持される底板と、
底板上の記録紙と接触してその一枚を分離して給送する分離給送手段と、
底板を分離給送手段側へ押圧する付勢手段と、
前記ケーシングに移動自在かつロック自在に支持されて前記底板上で記録紙を位置決めする位置決めガイドと、
を備えるプリンタ用の給紙カセット装置であって、
前記底板は、前記ケーシング内に収容可能な最大サイズの記録紙を全面的に載置可能とする大きさを有し、
前記付勢手段は、その付勢力が記録紙サイズに応じて切換え可能となるように構成されると共に、
前記位置決めガイドと反分離給送手段側の前記ケーシング内壁とを連結する邪魔部材を備え、
前記邪魔部材は、前記底板の上方に位置し、前記位置決めガイドの移動方向で該位置決めガイドの移動に連動して伸縮するように構成される、ものである。
【００１１】
請求項２においては、
前記邪魔部材は、前記位置決めガイドと、反分離給送手段側の前記ケーシング内壁とに、それぞれ回転自在に設けられる棒状部材とし、
該棒状部材と前記位置決めガイドまたは前記ケーシング内壁とを連結部は、該棒状部材に対して移動自在に支持される、ものである。
【００１２】
請求項３においては、
前記邪魔部材が連結される前記位置決めガイドは、前記ケーシング内の長手方向で移動自在に設けられる位置決めガイドとする、ものである。
【発明の効果】
【００１３】
本発明の効果として、以下に示すような効果を奏する。
【００１４】
請求項１においては、ユーザが、前記空きスペースに予備の記録紙を収容することができなくなる。底板に加えられる前記付勢力は記録紙サイズに応じて設定されているが、予備の記録紙の収容が防止されることにより、この付勢力の対応範囲を越えた重量が、底板に加わることがない。
【００１５】
請求項２においては、請求項１の効果に加えて、邪魔部材が安価に構成される。
【００１６】
請求項３においては、請求項１または請求項２の効果に加えて、ユーザによる、空きスペース内への予備の記録紙の収容が、装置構成を安価としながら効果的に防止される。
【発明を実施するための最良の形態】
【００１７】
本発明の実施の形態である給紙カセット装置１について、図面を用いて説明する。
給紙カセット装置は、プリンタ（画像形成装置）に記録紙を給送する装置であり、プリンタに付設されて使用されるものである。本実施の形態の給紙カセット装置１は、プリンタとは別体で、プリンタの下方に一段、もしくは複数段積層可能なユニットとして構成されている。
【００１８】
図１、図２に示すように、給紙カセット装置１のケーシングは、記録紙が収容される引出しケース２と、引出しケース２が引き出し自在に収容される受けケース３と、からなっている。
給紙カセット装置１の使用状態における姿勢を基準とすると、引出しケース２は中空の直方体よりその上面が切除された形状をしており、受けケース３は中空の直方体よりその一側面が切除された形状をしている。そして、引出しケース２は受けケース３に対して、一側方に引出し可能となっている。なお、受けケース３には、上下方向に記録紙を通過させるための開口も形成されている。
引出しケース２には、上下方向に沿って積層された記録紙が収容され、この引出しケース２が受けケース３に、引出し自在に収容される。
【００１９】
引出しケース２内には、記録紙積層体７が載置される底板４と、記録紙の繰出しに関わる繰出しローラ５および分離ローラ１０と、底板４を繰出しローラ５側へ押圧するバネ６と、底板４上の記録紙積層体７を位置決めするサイドガイド８・８およびエンドガイド９と、が設けられている。
【００２０】
底板４は、引出しケース２に回動支軸１１を介して回転自在に設けられている。回動支軸１１は底板４の一端部に位置しており、底板４の反回動支軸１１側の端部（開放側端部４ａ）が上下動自在である。
開放側端部４ａの上方には繰出しローラ５が位置し、開放側端部４ａの下方にはバネ６が位置している。バネ６は底板４と引出しケース２の内部底面との間に設けられており、開放側端部４ａはバネ６により繰出しローラ５側へ付勢されている。
【００２１】
繰出しローラ５は、記録紙との接触による摩擦を利用して記録紙をプリンタへ送り出す手段であり、分離ローラ１０は繰出しローラ５により複数枚の記録紙が同時に繰出された場合に、最上の一枚を除いて底板４側へ記録紙を逆送する手段である。なお、分離ローラ１０は一定以上のトルクが加えられると空回りするように構成されており、一枚の記録紙の両面が同時に、繰出しローラ５および分離ローラ１０に接触している場合は、繰出しローラ５の駆動回転が優先されて記録紙が繰出される。
以上のように、繰出しローラ５および分離ローラ１０により、記録紙の分離給送手段が構成されている。
なお、記録紙の分離給送手段は、特に限定するものではなく、他の構成であってよい。
【００２２】
底板４上の記録紙積層体７は、バネ６の付勢力により繰出しローラ５に押し付けられており、記録紙積層体７の最上の一枚に繰出しローラ５が接触する。
また、繰出しローラ５はその軸心方向が、前記回動支軸１１と平行となるように設けられており、底板４上の記録紙積層体７より記録紙が、繰出しローラ５により、底板４上で回動支軸１１から開放側端部４ａへ向けて繰り出される。繰出しローラ５により繰り出された記録紙は、給紙カセット装置１のケーシングに設けるガイドにより、繰出しローラ５の側方で上方向へ給送される。
【００２３】
底板４上の記録紙積層体７は、本実施の形態では、繰出し方向に対する左右方向で「中央揃え」される構成である。
具体的には、記録紙積層体７は、一対のサイドガイド８・８により、前記左右方向の両側で移動規制されて、底板４の中心と記録紙の中心とが一致するように位置決めされる。各サイドガイド８は、引出しケース２に、繰出し方向に対する左右方向で移動自在かつロック可能に設けられている。なお、底板４には、各サイドガイド８に対応して前記左右方向の長孔が形成されており、各サイドガイド８の位置に関わり無く底板４と各サイドガイドとが干渉しない。
また、繰出しローラ５および分離ローラ１０も、前記左右方向における底板４の中心位置に設けられており、記録紙サイズに関わり無く、記録紙の中央に繰出しローラ５が接触する。
なお、繰出し方向とは、回動支軸１１から繰出しローラ５へと記録紙が繰出される方向のことである。
【００２４】
また、繰出し方向では、底板４上の記録紙積層体７は、繰出しローラ５側に「端揃え」される構成である。
具体的には、記録紙積層体７は、引出しケース２の繰出しローラ５側の内壁（先端側内壁２ａ）と、エンドガイド９とにより、繰出し方向の両側で移動規制されて、繰出しローラ５の下方に記録紙積層体７の端部が位置するように、位置決めされる。
エンドガイド９は、引出しケース２に、繰出し方向で移動自在かつロック可能に設けられている。なお、底板４には、エンドガイド９に対応して繰出し方向の長孔が形成されており、エンドガイド９の位置に関わり無く底板４とエンドガイド９とが干渉しない。
【００２５】
また、底板４は、引出しケース２内に収容可能とされる最大サイズの記録紙を、全面的に載置可能な大きさを有するように形成されている。
本実施の形態である給紙カセット装置１は、収容可能な最大の記録紙サイズが定型Ａ３サイズとなっており、これに対応して、底板４上には、定型Ａ３サイズの記録紙を全面的に載置することが可能である。
ここで、「全面的に載置する」とは、底板４上に記録紙の一部だけではなく、全部が載ることを意味している。
このように構成することで、底板４上の記録紙の厚みの変化による底板４の傾斜角度の変化を、引出しケース２内のスペースの利用可能な範囲内でできるだけ低減している。そして、記録紙の厚みの変化による、記録紙の傾斜による位置ズレや、繰出しローラ５や分離ローラ１０と記録紙との接触位置の変動を最小化して、給送に不具合が発生しないようにしている。
【００２６】
給紙カセット装置１は、底板４を繰出しローラ５側へ押圧する付勢力を、切換え可能に構成されている。
これは、底板４上に載置される記録紙積層体７の重量に応じて、底板４に加わる付勢力を変更することで、繰出しローラ５と記録紙との接触が、記録紙サイズの違い、すなわち記録紙積層体７の重量によらず、常に適度に保たれるようにするものである。
例えば、定型Ａ３サイズの記録紙は、定型Ａ４サイズの記録紙の倍の大きさを有するため、底板４上に記録紙が満載された状態では、底板４に掛かる重さが倍となる。記録紙がプリンタ側へと給送されて、記録紙積層体の厚みが薄くなれば、それだけ記録紙積層体の重量も減少するが、平均的に見て、記録紙サイズが大きくなるにつれて、底板４に掛かる記録紙の重さも重くなるものである。
そこで、記録紙サイズが大きくなるにつれて、底板４を上方に付勢する力を大きくして、繰出しローラ５と記録紙との接触が適切に保たれるようにすると共に、記録紙サイズが小さくなるにつれて、底板４を上方に付勢する力が過剰とならないように、この付勢力を小さくするものである。
【００２７】
前記バネ６は、底板４を繰出しローラ５側へ押圧する付勢手段であるが、弾性係数の異なるバネと交換することで、底板４に加わる上方への付勢力を変更可能である。
あるいは、バネ６の配置位置を、前記繰出し方向で調整可能とすることでも、底板４に加わる上方への付勢力を変更可能である。つまり、底板４の支点である回動支軸１１に対して、力点であるバネ６の位置を接近、もしくは離間させるものである。
このようなバネの交換や位置調整は、サービスマン等により、給紙カセット装置１のケーシングの一部を適宜分解するなどして、行われるものである。
なお、底板４を繰出しローラ５側へ押圧する付勢力の切換えの方法は、前記の方法に限定されるものではなく、他の方法であっても良い。
【００２８】
次に、底板４上の空きスペースに配置される邪魔部材について説明する。
定型Ａ３サイズの記録紙を収容可能とする引出しケース２において、定型Ａ４サイズの記録紙が収容される場合、つまり、定型Ａ４サイズの記録紙の供給源として給紙カセット装置１が利用される場合、引出しケース２内には、定型Ａ４サイズの記録紙を収容可能な空きスペースが生じる。
ここで、底板４上に定型Ａ３サイズの記録紙を全面的に載置することが可能であるため、定型Ａ４サイズの記録紙が予備として引出しケース２内に収容された場合、この予備記録紙も底板４上に載置されることになる。
そうすると、前述した底板４の付勢力の切換えにより、定型Ａ４サイズの記録紙供給用として給紙カセット装置１を設定した場合であっても、底板４上には定型Ａ３サイズの記録紙に相当する重量が掛かることになってしまい、給紙カセット装置１からの記録紙の給送に不具合が生じる恐れがある。
そこで、前記空きスペースに、予備記録紙が収容されるのを防止する手段として、底板４上の空きスペースに常時位置する邪魔部材が、給紙カセット装置１には設けられている。
【００２９】
図１、図２に示すように、引出しケース２内には、エンドガイド９と、引出しケース２の反繰出しローラ５側の内壁（後端側内壁２ｂ）とを、連結する棒状部材１２が、前記邪魔部材として設けられている。
この棒状部材１２は、底板４の上方位置に設けられている。
また、棒状部材１２は、その一端部がエンドガイド９に立設されるリブ９ａに回動支軸１３を介して回動自在に設けられると共に、その他端部が後端側内壁２ｂに立設されるリブ２ｃに回動支軸１４を介して回動自在に設けられている。加えて、棒状部材１２には、その長手方向に沿って長孔１２ａが形成されており、該長孔１２ａ内を、棒状部材１２とエンドガイド９とを連結する回動支軸１３が移動自在となっている。
このため、エンドガイド９を前記繰出し方向に沿って移動させると、エンドガイド９の移動に連動して、棒状部材１２が傾斜する。この傾斜により、エンドガイド９の移動方向（前記繰出し方向）における棒状部材１２の長さ（射影長さ）が伸縮する。
【００３０】
図３には、定型Ａ３サイズの記録紙を収容した状態の引出しケース２の内部を示しており、エンドガイド９が、前記繰出し方向で底板４の後端部に位置し、最大限後端側内壁２ｂに接近した状態にある。このとき、回動支軸１３も長孔１２ａに沿って棒状部材１２の長手方向で移動し、回動支軸１４側へ最大限接近した状態にある。
このようにして、エンドガイド９の移動方向（前記繰出し方向）で、棒状部材１２（の射影長さ）が伸縮する。そして、引出しケース２内に空きスペースがある場合に、その空きスペース内では底板４の上方に必ず棒状部材が位置して、底板４が覆われることになり、ユーザがこの空きスペースに予備記録紙を収容できなくなる。
【００３１】
以上構成の邪魔部材を備える給紙カセット装置１についてまとめる。
この給紙カセット装置１は、プリンタへ記録紙を給送する装置であって、底板４、繰出しローラ５および分離ローラ１０、バネ６、サイドガイド８・８およびエンドガイド９、を備えている。
ここで、給紙カセット装置１のケーシングは、引出しケース２と、引出しケース２が引き出し自在に収容される受けケース３と、からなっている。
底板４は、記録紙積層体７（一枚の場合を含む）が載置されると共に引出しケース２（前記ケーシング）に上下回動自在に支持されるものである。
繰出しローラ５および分離ローラ１０は分離給送手段であり、底板４上の記録紙積層体７と接触してその一枚を分離して給送するものである。
バネ６は、底板４を分離給送手段（繰出しローラ５）側へ押圧する付勢手段である。
サイドガイド８・８およびエンドガイド９は、引出しケース２（前記ケーシング）に移動自在かつロック自在に支持されて、底板４上で記録紙積層体７を位置決めする位置決めガイドである。
【００３２】
特に、底板４は、引出しケース２内に収容可能な最大サイズの記録紙を全面的に載置可能とする大きさを有している。
また、前記付勢手段は、その付勢力が記録紙サイズに応じて切換え可能となるように構成されている。この付勢力の切換えは、前述したように、バネ６に代えて、弾性係数の異なるバネに交換したり、バネ（バネ６を含む）の前記繰出し方向における配置位置の変更による。
また、前記位置決めガイドと反分離給送手段側の前記ケーシング内壁とを連結する邪魔部材を備えている。本実施の形態では、棒状部材１２とした邪魔部材が、エンドガイド９と後端側内壁２ｂとの間に設けられる構成であるが、サイドガイド８と反分離給送手段側の引出しケース２の内壁との間に、さらに設けるものとしてもよい。
そして、前記邪魔部材は、前記底板４の上方に位置し、前記位置決めガイドの移動方向で該位置決めガイドの移動に連動して伸縮するように構成されている。本実施の形態では、邪魔部材である棒状部材１２は、エンドガイド９に連動することにより傾斜角度が変化し、前記繰出し方向におけるその射影長さが伸縮するものである。
【００３３】
このため、ケーシング（引出しケース２）内で、位置決めガイドの外側（反分離給送手段側）に位置する空きスペースの内部に、常時邪魔部材が位置し、空きスペース内に位置する底板４の上方の一部もしくは全部が、邪魔部材により覆われることになる。
したがって、ユーザが、前記空きスペースに予備の記録紙を収容することができなくなる。底板４に加えられる前記付勢力は記録紙サイズに応じて設定されているが、予備の記録紙の収容が防止されることにより、この付勢力の対応範囲を越えた重量が、底板４に加わることがない。
【００３４】
なお、本実施の形態では、前記邪魔部材を棒状部材１２としているが、この構成に限定されるものではない。
位置決めガイドと反分離給送手段側の前記ケーシング内壁とを連結する邪魔部材は、前記底板４の上方に位置し、前記位置決めガイドの移動方向で該位置決めガイドの移動に連動して伸縮するように構成されるものであれば、他の構成であっても良い。
例えば、エンドガイド９と後端側内壁２ｂとの間に、伸縮可能なアコーディオン状やパンタグラフ状の部材を設け、これらの部材がエンドガイド９の移動に連動して伸縮する構成であってもよい。
【００３５】
特に、前記邪魔部材は、前記位置決めガイドと、反分離給送手段側の前記ケーシング内壁とに、それぞれ回転自在に設けられる棒状部材１２とし、該棒状部材１２と前記位置決めガイドまたは前記ケーシング内壁とを連結部は、該棒状部材に対して移動自在に支持されるものである。
特に、本実施の形態では、エンドガイド９と後端側内壁２ｂとに、棒状部材１２が回転自在に設けられると共に、棒状部材１２にその長手方向に沿って形成された長孔１２ａに沿って、エンドガイド９と棒状部材１２とを回転自在に連結する連結部としての回動支軸１３が移動自在に支持される。
【００３６】
したがって、邪魔部材が安価に構成される。
【００３７】
なお、邪魔部材を棒状部材とし、この棒状部材を前記位置決めガイドと反分離給送手段側の前記ケーシング内壁とにそれぞれ回転自在に設ける構成とした場合に、位置決めガイドの移動に連動してその棒状部材を傾斜させるための構造としては、前記の構造（連結部を棒状部材に対して移動自在に支持する構造）に限定されるものではない。
例えば、棒状部材１２がエンドガイド９と後端側内壁２ｂとに回転自在に設けられると共に、棒状部材１２と後端側内壁２ｂとの連結部たる回動支軸１４が、後端側内壁２ｂに対して移動自在に支持される構成としてもよい。
つまり、邪魔部材を棒状部材とし、この棒状部材を前記位置決めガイドと反分離給送手段側の前記ケーシング内壁とにそれぞれ回転自在に設ける構成とする構成において、棒状部材とケーシング内壁との連結部がケーシング内壁に対して移動自在とされる構成であっても、棒状部材と位置決めガイドとの連結部が位置決めガイドに対して移動自在とされる構成であってもよい。
【００３８】
特に、前記邪魔部材が連結される前記位置決めガイドは、前記ケーシング内の長手方向で移動自在に設けられる位置決めガイドとしている。
引出しケース２の長手方向は、本実施の形態の場合、記録紙の繰出し方向と一致するものであり、この繰出し方向で移動自在に設けられる位置決めガイドは、エンドガイド９である。なお、エンドガイド９に対して、反分離給送手段（繰出しローラ５）側となる引出しケース２の内壁は、後端側内壁２ｂである。
本実施の形態では、引出しケース２に備えられる三つの位置決めガイドのうち、エンドガイド９にのみ、邪魔部材が設けられる構成である。
【００３９】
このため、ケーシング内に生じる空きスペースのうち、もっとも大きな空きスペースが生じる部位に、邪魔部材が配置される。
したがって、ユーザによる、空きスペース内への予備の記録紙の収容が、装置構成を安価としながら効果的に防止される。
【図面の簡単な説明】
【００４０】
【図１】給紙カセット装置を引出しケースの引出し方向より見た断面図である。
【図２】定型Ａ４サイズの記録紙を収容した状態における給紙カセット装置の平面図である。
【図３】定型Ａ３サイズの記録紙を収容した状態における給紙カセット装置の平面図である。
【符号の説明】
【００４１】
１    給紙カセット装置
２    引出しケース（ケーシングの一部）
２ｂ    後端側内壁（反分離給送手段側の前記ケーシング内壁）
３    受けケース（ケーシングの一部）
４    底板
５    繰出しローラ（分離給送手段の一部）
６    バネ
８    サイドガイド（位置決めガイド）
９    エンドガイド（位置決めガイド）
１０    分離ローラ（分離給送手段の一部）
１２    棒状部材（邪魔部材）
１３    回動支軸（連結部）
【図１】
2006001681.tif 000003
【図２】
2006001681.tif 000004
【図３】
2006001681.tif 000005